(57)【要約】【課題】照明器具との対応関係が容易に識別でき、また精度よく目標照度の調光制御でき、さらには利用者各個人の好みに合わせた快適な照明空間を提供することである。【解決手段】予め設定された自己のＩＤ情報を重畳した可視光を照射する照明器具１２から発せられた可視光を受信する受信手段１３と、受信手段１３で受信した可視光に重畳された照明器具のＩＤ情報を検出するＩＤ情報検出手段１４と、受信手段１３で受信した可視光の照度を検出する照度検出手段１５と、ＩＤ情報及び照度を送出する送信手段１６とを備える。【選択図】  図１
2009026613.tif 000002
【特許請求の範囲】
【請求項１】
予め設定された自己のＩＤ情報を重畳した可視光を照射する照明器具から照射された可視光を受信する受信手段と；
前記受信手段で受信した可視光に重畳された照明器具のＩＤ情報を検出するＩＤ情報検出手段と；
前記受信手段で受信した可視光の照度を検出する照度検出手段と；
前記ＩＤ情報及び前記照度を送出する送信手段と；
を備えたことを特徴とする照度センサ機器。
【請求項２】
照度検出手段で検出した照度の目標照度値または目標照度値を決定するための乗数を記憶したメモリを有し、前記送信手段は前記受信手段で受信した可視光の照度、前記ＩＤ情報、及び前記メモリに記憶された前記目標照度値または前記目標照度値を決定するための乗数を送出することを特徴とする請求項１に記載の照度センサ機器。
【請求項３】
パソコンインターフェース回路を有し、前記送信手段は受信手段で受信した可視光の照度をパソコンインターフェース回路を介して送信することを特徴とする請求項１または２に記載の照度センサ機器。
【請求項４】
予め設定された自己のＩＤ情報を重畳した可視光を放射する照明器具と；
この照明器具から照射された可視光を受信する受信手段、この受信手段で受信した可視光に重畳された前記照明器具のＩＤ情報を検出するＩＤ情報検出手段、前記受信手段で受信した可視光の照度を検出する照度検出手段、前記ＩＤ情報及び前記照度を送出する送信手段、を有する照度センサ機器と；
前記照明器具のＩＤ情報に対応する目標照度を予め記憶し、前記照度センサ機器から送出された前記ＩＤ情報及び前記照度を受信したときに、前記照度が前記ＩＤ情報に対応する目標照度値となるように当該照明器具の制御データを生成し当該照明器具に送出する中央装置と；
を備えたことを特徴とする照明制御システム。
【請求項５】
前記照度センサ機器は、照度検出手段で検出した照度の目標照度値または目標照度値を決定するための乗数を記憶したメモリを有し、前記送信手段は前記受信手段で受信した可視光の照度、前記ＩＤ情報、及び前記メモリに記憶された前記目標照度値または前記目標照度値を決定するための乗数を送出するとともに、前記中央装置は、前記ＩＤ情報、前記照度及び前記目標照度値または前記目標照度値を決定するための乗数を受信したときに、前記照度が前記照度センサ機器の目標照度値となるように前記ＩＤに対応する照明器具の制御データを生成し当該照明器具に送出することを特徴とする請求項４に記載の照明制御システム。
【請求項６】
前記照度センサ機器は、パソコンインターフェース回路を有するとともに、前記送信手段は受信手段で受信した可視光の照度をパソコンインターフェース回路を介して送信し、パソコンインターフェース回路から送出された前記ＩＤ情報および前記照度を受信し、受信した前記ＩＤ情報および前記照度を自己のＩＰアドレスと共に送出するパソコンを具備したことを特徴とする請求項４または５に記載の照明制御システム。
【請求項７】
前記照明器具は、自己のＩＤ情報に加え自己の設置位置情報も重畳させた可視光を照射するとともに、前記中央装置は、前記パソコンのＩＰアドレスを抽出し、前記照明器具の設置位置情報に基づいて、当該ＩＰアドレスのパソコンの存在位置を検出することを特徴とする請求項６記載の照明制御システム。
【請求項８】
前記照度センサ機器は、前記パソコンから前記パソコンインターフェース回路を介して充電可能なバッテリーと、前記中央装置と無線通信を行う無線通信手段とを備えたことを特徴とする請求項６または７記載の照明制御システム。  
【発明の詳細な説明】
【技術分野】
【０００１】
本発明は、施設などに設置された照明器具の照度を検出する照度センサ機器及び照度センサ機器で検出された照度に基づいて照明器具の調光制御を行う照明制御システムに関する。
【背景技術】
【０００２】
オフィスなどの照明制御システムとしては、照明エリアの被照射面から反射した光の照度を天井面に配設された照度センサで測定し、その測定照度を中央装置に送信して照明器具を調光制御するものがある。このような照明制御システムの中央装置では、照度センサで測定した測定照度と目標照度値とを比較し、照明エリアの照度が目標照度値になるように照明器具の制御データを生成して照明器具を調光制御している。
【０００３】
照度センサの検知出力に応じて照明器具の光出力を制御する照明制御システムにおいて、例えば照度センサで測定した測定照度とワイヤレス設定器からの照明エリアの実照度とを所定の演算式に基づいて演算処理して所定の補正比を算出し、測定照度にこの補正比を乗算した数値を照明エリアの照度と認識するようにし、施工時やメンテナンス時において、照度補正の作業を１人で効率的にすることを可能とした照明制御システムがある（例えば、特許文献１参照）。
【０００４】
また、天井面に取り付けられた照度センサによって、各照明負荷の光出力や外光（例えば、窓から入射した太陽光）の反射光を検知し、その検知結果に基づいてフィードバック制御を行い、机上面照度を確保しつつ外光などによる誤検知を低減可能としたものがある（例えば、特許文献２参照）。
【特許文献１】特開２００２−７５６６４号公報
【特許文献２】特開２０００−１３３４７１号公報
【発明の開示】
【発明が解決しようとする課題】
【０００５】
しかしながら、特許文献１のものでは、ある照度センサにより測定した照度に応じて制御する照明器具と照度センサとの対応関係は予め調光制御装置（中央装置）に設定しておく必要がある。
【０００６】
また、天井に照度センサを設置した場合には、照明器具からの照射光の反射光を入力して机上面の照度を計測することになるので、机上面に白い紙などが置かれると、反射光が大きくなり実際より高めの照度として検出してしまう。すなわち、机上面に反射率の高いものが置かれた場合などは、照度センサは実際よりも高い照度値であると判断するので、中央装置は照度が低くなるように調光制御を行ってしまう。さらには、机上面の照度の目標照度値は、一様に定められていることが多く、そのような場合には、使用者の身体状態や好みに合わせた照度を得るための照明器具の調光制御が行えない。
【０００７】
本発明の目的は、精度よく目標照度の調光制御ができるとともに、照明器具とこの照明器具によって照射される照射位置との対応関係が容易に識別でき、また利用者各個人の好みに合わせた快適な照明空間を提供できる照度センサ機器及び照明制御システムを提供することである。
【課題を解決するための手段】
【０００８】
請求項１の発明に係わる照度センサ機器は、予め設定された自己のＩＤ情報を重畳した可視光を照射する照明器具から照射された可視光を受信する受信手段と；前記受信手段で受信した可視光に重畳された照明器具のＩＤ情報を検出するＩＤ情報検出手段と；前記受信手段で受信した可視光の照度を検出する照度検出手段と；前記ＩＤ情報及び前記照度を送出する送信手段と；を備えたことを特徴とする。
【０００９】
本発明および以下の発明において、特に指定しない限り用語の定義および技術的意味は以下による。
【００１０】
自己のＩＤ情報とは自己の照明器具を特定するためのＩＤ（Identification）であり、複数個の照明器具に対して、予め付与されたそれぞれ異なる固有の識別情報である。「自己のＩＤ情報を重畳する」とは、照明器具が照明用に照射する可視光に自己のＩＤ情報を含ませることをいう。ＩＤ情報及び照度を送出する送信手段は、無線及び有線のいずれも含む。
【００１１】
請求項２の発明に係わる照度センサ機器は、照度検出手段で検出した照度の目標照度値または目標照度値を決定するための乗数を記憶したメモリを有し、前記送信手段は前記受信手段で受信した可視光の照度、前記ＩＤ情報、及び前記メモリに記憶された前記目標照度値または前記目標照度値を決定するための乗数を送出することを特徴とする。
【００１２】
本発明は、請求項１の発明に対し、照度検出手段で検出した照度の目標照度値または目標照度値を決定するための乗数を記憶したメモリを設け、ＩＤ情報及び照度に加え、目標照度値または目標照度値を決定するための乗数を送出するようにしたものである。目標照度値を決定するための乗数とは推奨照度（基準照度）に乗算する係数である。メモリは書き替え可能メモリであり、目標照度値または目標照度値を決定するための乗数はパソコンから書き替え可能となっている。
【００１３】
請求項３の発明に係わる照度センサ機器は、パソコンインターフェース回路を有し、前記送信手段は受信手段で受信した可視光の照度をパソコンインターフェース回路を介して送信することを特徴とする。
【００１４】
本発明は、請求項１または２の発明の送信手段として、ＩＤ情報及び前記照度を送出するパソコンインターフェース回路を採用したものである。パソコンインターフェース回路とは、パソコンに接続可能なインターフェース回路であり、例えば、ＵＳＢ（Universal serial bus）などである。
【００１５】
また、パソコンインターフェース回路は、ＩＤ情報及び照度に加え、目標照度値または目標照度値を決定するための乗数を送出するようにしてもよい。
【００１６】
請求項４の発明に係わる照明制御システムは、予め設定された自己のＩＤ情報を重畳した可視光を放射する照明器具と；この照明器具から照射された可視光を受信する受信手段、この受信手段で受信した可視光に重畳された前記照明器具のＩＤ情報を検出するＩＤ情報検出手段、前記受信手段で受信した可視光の照度を検出する照度検出手段、前記ＩＤ情報及び前記照度を送出する送信手段、を有する照度センサ機器と；前記照明器具のＩＤ情報に対応する目標照度を予め記憶し、前記照度センサ機器から送出された前記ＩＤ情報及び前記照度を受信したときに、前記照度が前記ＩＤ情報に対応する目標照度値となるように当該照明器具の制御データを生成し当該照明器具に送出する中央装置と；を備えたことを特徴とする。
【００１７】
本発明は、照度センサ機器を用いて、中央装置とともに照明制御システムを構成したものである。中央装置は照度センサ機器から送出された照明器具のＩＤ情報を基に制御対象である照明器具を特定し、照度がそのＩＤに対応する照明器具の目標照度値となるように制御データを送出しその照明器具の調光制御を行う。
【００１８】
請求項５の発明に係わる照明制御システムは、前記照度センサ機器は、照度検出手段で検出した照度の目標照度値または目標照度値を決定するための乗数を記憶したメモリを有し、前記送信手段は前記受信手段で受信した可視光の照度、前記ＩＤ情報、及び前記メモリに記憶された前記目標照度値または前記目標照度値を決定するための乗数を送出するとともに、前記中央装置は、前記ＩＤ情報、前記照度及び前記目標照度値または前記目標照度値を決定するための乗数を受信したときに、前記照度が前記照度センサ機器の目標照度値となるように前記ＩＤに対応する照明器具の制御データを生成し当該照明器具に送出することを特徴とする。
【００１９】
本発明は、中央装置が、照度センサ機器から送出された照明器具のＩＤ情報を基に制御対象である照明器具を特定し、また、照度センサ機器から送出された目標照度値または目標照度値を決定するための乗数を基に照度がそのＩＤに対応する照明器具の目標照度値となるように制御データを送出しその照明器具の調光制御を行う。
【００２０】
請求項６の発明に係わる照明制御システムは、前記照度センサ機器は、パソコンインターフェース回路を有するとともに、前記送信手段は受信手段で受信した可視光の照度をパソコンインターフェース回路を介して送信し、パソコンインターフェース回路から送出された前記ＩＤ情報および前記照度を受信し、受信した前記ＩＤ情報および前記照度を自己のＩＰアドレスと共に送出するパソコンを具備したことを特徴とする。
【００２１】
本発明は、請求項２記載の照度センサ機器を用いて、照度センサ機器をパソコンに接続し、中央装置とともに照明制御システムを構成したものである。自己のＩＰアドレスとはパソコンに割り振られた固有の識別情報である。中央装置は、パソコンを介して照度センサ機器から送出された照明器具のＩＤ情報を基に制御対象である照明器具を特定し、照度がそのＩＤに対応する照明器具の目標照度値となるように制御データを送出しその照明器具の調光制御を行う。
【００２２】
請求項７の発明に係わる照明制御システムは、前記照明器具は、自己のＩＤ情報に加え自己の設置位置情報も重畳させた可視光を照射するとともに、前記中央装置は、前記パソコンのＩＰアドレスを抽出し、前記照明器具の設置位置情報に基づいて、当該ＩＰアドレスのパソコンの存在位置を検出することを特徴とする
本発明は、請求項４ないし６のいずれか一の発明の発明に対し、照明器具は自己のＩＤ情報に加え自己の設置位置情報も重畳させた可視光を照射するようにしたものである。
【００２３】
請求項８の発明に係わる照明制御システムは、前記照度センサ機器は、前記パソコンから前記パソコンインターフェース回路を介して充電可能なバッテリーと、前記中央装置と無線通信を行う無線通信手段とを備えたことを特徴とする。
【発明の効果】
【００２４】
請求項１の発明によれば、照明器具から発せられた可視光の照度だけでなく、可視光に重畳された照明器具のＩＤ情報も検出して送出するので、照明器具を特定した照度の測定が可能となる。
【００２５】
請求項２の発明によれば、目標照度値または目標照度値を決定するための乗数を記憶したメモリを有するので、これらを書き替えることにより目標照度値の変更が可能となる。
【００２６】
請求項３の発明によれば、請求項２の発明に効果に加え、請求項１の発明の効果に加え、照度センサ機器をパソコンに接続可能となるので、照度センサ機器の設置箇所を特別に設定する必要がない。
【００２７】
請求項４の発明よれば、照度センサ機器は照明器具を特定して照度の測定をするので、移動可能な照度センサ機器を使用した場合にも、照度センサ機器と照明器具との対応関係が中央装置にて自動的に判断可能となる。
【００２８】
請求項５の発明によれば、照度センサ機器は照明器具を特定して照度の測定をするので、照度センサ機器が移動しても、検出した照度により制御される照明器具との対応が自動的に取れる。
【００２９】
請求項６の発明によれば、パソコンに接続された照度センサ機器に記憶された目標照度値を変更できるので、利用者各個人の好みに合わせた快適な照明空間を提供することが可能となる。
【００３０】
請求項７の発明によれば、中央装置はパソコンのＩＰアドレスを検出するので、フリーアドレスオフィスなどにおいても、パソコンの位置（人の位置）を自動的に検出することができる。
【００３１】
請求項８の発明によれば、バッテリーから照度センサ機器への電源が供給できるので、パソコンの電源がオフしているときにも照明器具の照度の調光制御が可能となる。
【発明を実施するための最良の形態】
【００３２】
（第１の実施の形態）
図１は本発明の第１の実施の形態に係わる照度センサ機器の構成図である。照度センサ機器１１は、照明器具１２から発せられた可視光を受信する受信手段１３と、可視光に重畳された照明器具１２のＩＤ情報を検出するＩＤ情報検出手段１４と、可視光の照度を検出する照度検出手段１５と、ＩＤ情報及び照度を送出する送信手段１６とから構成される。
【００３３】
照明器具１２は、予め設定された自己のＩＤ情報を重畳した照明用の可視光を照射する。照度センサ機器１１のＩＤ情報検出手段１４は、受信手段１３で受信した可視光に重畳された照明器具１２のＩＤ情報を検出し、また、照度検出手段１５は、受信手段１３で受信した可視光の照度を検出する。そして、ＩＤ情報検出手段１４で検出したＩＤ情報及び照度検出手段１５で検出した照度を送信手段１６から送信する。従って、照度センサ機器１１から送信される情報は、照度だけでなく照明器具１２を特定したＩＤ情報も含まれる。
【００３４】
図２は本発明の第１の実施の形態に係わる照明システムの構成図である。複数個の照明器具１２ａ〜１２ｎは照明制御用の伝送信号線１７に接続され、この伝送信号線１７には、複数個の照明器具１２ａ〜１２ｎを点灯制御する中央装置１８が接続されている。また、複数個の照明器具１２ａ〜１２ｎの照明エリアの照度は、図１に示した照度センサ機器１１で検出される。照度センサ機器１１は、照明器具１２ａ〜１２ｎからの光が照射されて実際に照明される照射面に配置される。例えば、机上などに置かれる。
【００３５】
中央装置１８は、照度センサ機器１１で検出された照明器具１２ａ〜１２ｎのＩＤ情報及び照度を入力し、ＩＤに対応する照明器具１２ｉの照度が予め記憶した目標照度値となるように照明器具１２ｉの制御データを生成し照明器具１２ｉを点灯制御する。中央装置１８には、予め照明器具１２ａ〜１２ｎのＩＤに対応する目標照度及び設置位置が記憶されている。
【００３６】
図３は、中央装置１８に予め格納されている照明器具１２ａ〜１２ｎのＩＤと目標照度値との対応テーブルの説明図、図４は照明器具１２ａ〜１２ｎのＩＤと設置位置との対応テーブルの説明図である。図３に示すように、照明器具１２ａ（ＩＤ＝１）、１２ｂ（ＩＤ＝２）、１２ｎ（ＩＤ＝ｎ）の目標照度値は７５０ｌｘ、照明器具１２ｃ（ＩＤ＝３）の目標照度値は１０００ｌｘというように、照明器具１２ａ〜１２ｎ毎に目標照度値が予め設定されている。同様に、図４に示すように、照明器具１２ａ（ＩＤ＝１）の設置位置は１Ｆ事務所のＡエリア、照明器具１２ｂ（ＩＤ＝２）の設置位置は１Ｆ事務所のＢエリア、照明器具１２ｃ（ＩＤ＝３）の設置位置は１Ｆ事務所のｃエリア、照明器具１２ｎ（ＩＤ＝ｎ）の設置位置は１５Ｆ事務所のｎエリアというように、照明器具１２ａ〜１２ｎ毎に設置位置が予め設定されている。
【００３７】
中央装置１８は、照度センサ機器１１ａ〜１１ｎから送出されたＩＤ情報及び照度を受信したときは、ＩＤ情報から該当の照明器具１２ｉを特定し、その照明器具１２ｉの目標照度値及び設置場所を参照する。そして、その照明器具１２ｉの照度が予め記憶した目標照度値となるように当該照明器具１２ｉの制御データを生成し当該照明器具１２ｉに送出する。また、該当の照明器具１２ｉの設置場所から照度センサ機器１１が配置されている場所を特定する。
【００３８】
図５は第１の実施の形態に係わる照度センサ機器１１の処理内容を示すフローチャートである。照明器具１２から発せられた可視光を受信手段１３で受信し（Ｓ１）、ＩＤ情報検出手段１４で可視光に照明器具１２のＩＤ情報が重畳されているかどうかを判定する（Ｓ２）。ＩＤ情報が重畳されている場合には、そのＩＤを記憶する（Ｓ３）。一方、照度検出手段１５にて可視光の照度を検出し（Ｓ４）、データ送信インターバル時間が経過したか否かを判定する（Ｓ５）。データ送信インターバル時間が経過していないときはステップＳ１に戻り、データ送信インターバル時間が経過しているときは、ＩＤを受信済みか否かを判定する（Ｓ６）。そして、ＩＤを受信済みでないときはステップＳ１に戻り、ＩＤを受信済みであるときは、送信手段１６は、ＩＤ情報検出手段１４で検出したＩＤ情報及び照度検出手段１５で検出した照度を中央装置１８に送信する（Ｓ７）。
【００３９】
このように、照明器具１２ａ〜１２ｎは中央装置１８と照明制御用の伝送信号線１７で接続され、中央装置１８からの制御信号により制御される。そして、机上などに置かれた照度センサ機器１１は、照明器具１２ａ〜１２ｎから可視光を受信し、照明器具１２ａ〜１２ｎのＩＤ及び照度を検出すると、そのＩＤ及び照度を中央装置１８へ無線送信する。中央装置１８では受信したＩＤと照度及び予め設定されてあるＩＤと目標照度値の対応データから照明器具１２を制御する制御データを生成し送信する。また、ＩＤと設置場所の対応データから照度センサ機器１１の設置場所を特定する。
【００４０】
以上の説明では、照明器具１２は可視光に自己のＩＤ情報を重畳させるようにしたが、自己のＩＤ情報に加え自己の設置位置情報も重畳させるようにしてもよい。この場合、中央装置１８は図４に示す照明器具のＩＤと設置位置との対応テーブルを持つ必要がなく、照明器具１２からの可視光に重畳された照明器具１２の設置位置情報を用いて照度センサ機器１１の配置場所を特定できる。
【００４１】
第１の実施の形態によれば、照度センサ機器１１は、可視光の照度に加え可視光に重畳された照明器具のＩＤ情報も検出するので、照明器具１２を特定して照度の測定をすることができる。従って、移動可能な照度センサ機器１１を使用した場合にも、照度センサ機器１１と照明器具１２との対応関係が中央装置１８にて自動的に判断可能となる。また、照明器具１２が自己のＩＤ情報に加え自己の設置位置情報も重畳させた可視光を照射する場合には、中央装置１８においては、照明器具のＩＤと設置位置との対応テーブルを持つことなく、可視光に重畳された照明器具１２の設置位置情報を用いて照度センサ機器１１と照明器具１２との対応関係を取ることができる。
【００４２】
（第２の実施の形態）
図６は本発明の第２の実施の形態に係わる照度センサ機器１１の構成図である。この第２の実施の形態の照度センサ機器１１は、図１に示した第１の実施の形態に対し、ＩＤ情報及び照度を送出する送信手段１６に代えて、ＩＤ情報及び照度を送出するパソコンインターフェース回路１９を設けたものである。図１と同一要素には同一符号を付し重複する説明は省略する。
【００４３】
パソコンインターフェース回路１９は、パソコンに接続可能なインターフェース回路であり、例えば、ＵＳＢ（Universal serial bus）などである。これにより、照度センサ機器１１はパソコンに接続可能となり、照度センサ機器１１で検出した照明器具１２のＩＤ情報及び照度はパソコンに取り込まれることになる。
【００４４】
図７は本発明の第２の実施の形態に係わる照明システムの構成図である。この第２の実施の形態の照明システムは、図２に示した第１の実施の形態の照明システムに対し、照度センサ機器１１は、パソコン２０にパソコンインターフェース回路を介して接続され、照明器具１２ａ〜１２ｂのＩＤ情報及び照度を検出して、パソコン２０に出力するようにしたものである。そして、パソコン２０から中央装置１８に照明器具１２ａ〜１２ｂのＩＤ情報及び照度を送信する。
【００４５】
通常、パソコン２０は机上などに置かれるので、パソコン２０に装着して接続された照度センサ機器１１も机上の近傍に配置されることになる。すなわち、照度センサ機器１１は、照明器具１２ａ〜１２ｎからの光が照射されて実際に照明される机上（照射面）の照度を測定することになる。照度センサ機器１１で検出されたＩＤ及び照度は、パソコンインターフェース回路を介してパソコン２０内に取り込まれ、パソコン２０から無線で中央装置１８に送信される。
【００４６】
中央装置１８は、第１の実施の形態の照明システムと同様に、照明器具１２ａ〜１２ｎのＩＤと目標照度値との対応テーブル、照明器具１２ａ〜１２ｎのＩＤと設置位置との対応テーブルを有しており、中央装置１８は、照度センサ機器１１で検出された照明器具１２ａ〜１２ｎのＩＤ情報及び照度を入力すると、ＩＤに対応する照明器具１２ｉの照度が予め記憶した目標照度値となるように照明器具１２ｉの制御データを生成し照明器具１２ｉを点灯制御する。また、該当の照明器具１２ｉの設置場所から照度センサ機器１１の位置を特定する。
【００４７】
図８は第２の実施の形態に係わる照度センサ機器１１の処理内容を示すフローチャートである。照明器具１２から発せられた可視光を受信手段１３で受信し（Ｓ１１）、ＩＤ情報検出手段１４で可視光に照明器具１２のＩＤ情報が重畳されているかどうかを判定する（Ｓ１２）。ＩＤ情報が重畳されている場合には、そのＩＤを記憶する（Ｓ１３）。一方、照度検出手段１５にて可視光の照度を検出し（Ｓ１４）、データ送信インターバル時間が経過したか否かを判定する（Ｓ１５）。データ送信インターバル時間が経過していないときはステップＳ１に戻り、データ送信インターバル時間が経過しているときは、ＩＤを受信済みか否かを判定する（Ｓ１６）。そして、ＩＤを受信済みでないときはステップＳ１に戻り、ＩＤを受信済みであるときは、パソコンインターフェース回路（ＵＳＢ）１９は、ＩＤ情報検出手段１４で検出したＩＤ情報及び照度検出手段１５で検出した照度をパソコン２０に送信する（Ｓ１７）。
【００４８】
このように、照明器具１２ａ〜１２ｎは中央装置１８と照明制御用の伝送信号線１７で接続され、中央装置１８からの制御信号により制御される。そして、パソコン２０にパソコンインターフェース回路１９にて接続された照度センサ機器１１は、照明器具１２ａ〜１２ｎから可視光を受信し、照明器具１２ａ〜１２ｎのＩＤ及び照度を検出すると、そのＩＤ及び照度をパソコン２０に送信する。
【００４９】
パソコン２０からはＩＤと照度とからなるデータを有線もしくは無線のＬＡＮ経由で中央装置１８へ送信する。中央装置１８では受信したＩＤと照度及び予め設定されてあるＩＤと目標照度値の対応データから照明器具１２を制御する制御データを生成し送信する。また、ＩＤと設置場所の対応データから照度センサ機器１１の設置場所を特定する。
【００５０】
以上の説明では、照明器具１２は可視光に自己のＩＤ情報を重畳させるようにしたが、自己のＩＤ情報に加え自己の設置位置情報も重畳させるようにしてもよい。この場合、中央装置１８は図４に示す照明器具のＩＤと設置位置との対応テーブルを持つ必要がなく、照明器具１２からの可視光に重畳された照明器具１２の設置位置情報を用いて照度センサ機器１１の配置場所を特定できる。
【００５１】
また、図９に示すように、照度センサ機器１１にバッテリー２１と無線通信手段２２とを設け、パソコン２０がオフ状態であるときにも照度センサ機器１１から中央装置１８に照明器具１２のＩＤ及び照度を送信できるようにしてもよい。すなわち、照度センサ機器１１のバッテリー２１は、パソコン２０の電源がオンしているときに、パソコン２０からパソコンインターフェス回路１９経由で充電可能なバッテリーであり、パソコン２０の電源がオンしているときに、パソコン２０からパソコンインターフェス回路１９経由で充電する。パソコン２０がオンしているときは、照度センサ機器１１で検出した照明器具１２のＩＤ情報及び照度はパソコン２０経由で中央装置１８に送信される。
【００５２】
一方、パソコン２０がオフ状態となったときには、バッテリー２１から照度センサ機器１１の各要素に電源を供給し、照明器具１２のＩＤ情報をＩＤ情報検出手段１４で検出し、照明器具１２の照度を照度検出手段１５で検出する。そして、ＩＤ情報検出手段１４で検出した照明器具１２のＩＤ情報及び照度検出手段１５で検出した照度を無線通信手段２２を介して中央装置１８に送信する。これにより、照度センサ機器１１は、パソコン２０がオフ状態であるときにも無線通信手段２２から中央装置１８との通信が可能となる。
【００５３】
また、以上の説明では、中央装置１８は、照明器具１２のＩＤ情報及び設置位置情報に基づいて照度センサ機器１１の位置を特定するようにしたが、さらに、パソコン２０のＩＰアドレスを抽出し、特定した照度センサ機器１１の位置に存在するパソコン２０を特定することも可能である。
【００５４】
照度センサ機器１１はパソコン２０に接続されているので、照明器具１２のＩＤ情報及び照明器具１２の設置位置情報に基づいて特定された照度センサ機器１１の場所にはパソコン２０が存在している。そこで、さらに、そのパソコン２０のＩＰアドレスを抽出してパソコン２０も特定する。これにより、フリーアドレスオフィスなどにおいても、パソコンの位置（人の位置）を自動的に検出することが可能になる。
【００５５】
第２の実施の形態によれば、照度センサ機器１１をパソコン２０に接続可能となるので、照度センサ機器１１の設置箇所を特別に設定する必要がなくなる。また、照度センサ機器１１は照明器具１２を特定して照度の測定をするので、パソコン２０の位置の移動に伴ってパソコン２０に接続した照度センサ機器１１が移動しても、検出した照度により制御される照明器具１２との対応が自動的に取れる。また、照明器具１２が自己のＩＤ情報に加え自己の設置位置情報も重畳させた可視光を照射する場合には、中央装置１８においては、照明器具のＩＤと設置位置との対応テーブルを持つことなく、可視光に重畳された照明器具１２の設置位置情報を用いて照度センサ機器１１と照明器具１２との対応関係を取ることができる。
【００５６】
さらに、照度センサ機器１１にバッテリー２１及び無線通信手段２２を設けた場合には、バッテリー２１から照度センサ機器１１への電源が供給できるので、パソコン２０の電源がオフしているときにも照明器具１２の照度の調光制御が可能となる。中央装置１８はパソコン２０のＩＰアドレスを検出し、特定のパソコンの位置を特定できるので、フリーアドレスオフィスなどにおいても、パソコンの位置（人の位置）を自動的に検出できる。
【００５７】
（第３の実施の形態）
図１０は本発明の第３の実施の形態に係わる照度センサ機器１１の構成図である。この第３の実施の形態の照度センサ機器１１は、図６に示した第２の実施の形態に対し、照度検出手段１５で検出した照度の目標照度値または目標照度値を決定するための乗数を記憶したメモリ２３を追加して設けたものである。図６と同一要素には同一符号を付し重複する説明は省略する。また、照度センサ機器１１を用いた照明システムは、図７に示した第２の実施の形態の照明システムと同じである。
【００５８】
図１０に示すように、照度センサ機器１１にはデータを格納することが可能なメモリ２３が搭載されており、そのメモリ２３内部には、照度センサ機器１１が使用されている机上面照度の目標照度値もしくは目標照度値を決定するための乗数が格納されている。この値は、照度センサ機器１１がパソコン２０に接続された時点でパソコン２０経由で中央装置１８に通知される。
【００５９】
中央装置１８は、通知された値が目標照度値そのものであるときは、その照度センサ機器１１の頭上周辺に設置されている照明器具１２がその目標照度値になるように調光制御を行う。同様に、中央装置１８は通知された値が目標照度値を決定するための乗数であるときは、推奨照度（基準照度）にその乗数を乗算して目標照度値を求め、その照度センサ機器１１の頭上周辺に設置されている照明器具１２がその目標照度値になるように調光制御を行う。
【００６０】
例えば、一般事務所の推奨照度は７５０ｌｘだが、利用者が若干高齢で視力の衰えがあり、推奨照度の１．３倍の９７５ｌｘ程度の照度が必要であるとする。この倍率は利用者の年齢や視力、好みによりそれぞれ異なる。このとき、照度センサ機器１１のメモリ２３内部には「９７５ｌｘ」という値が格納されており、パソコン２０に接続した時点で、その値が中央装置１８に通知される。中央装置１８は通知された値を目標照度値として内部に記憶する。
【００６１】
中央装置１８への通知後、照度センサ機器１１は定期的に机上面照度を測定して中央装置１８へ測定した照度データを送出する。中央装置１８は受信した測定した照度データと内部に記憶した目標照度値とを比較し、目標照度値になるように照明器具１２ｉを調光制御する。照度センサ機器１１内に目標照度値ではなく「１．３倍」といった乗数が記憶されている場合は、予め中央装置に「７５０ｌｘ」という推奨照度値が設定されており、照度センサ機器１１から中央装置１８に乗数を通知すると中央装置１８内部で目標照度値を算出して調光制御を行うことになる。
【００６２】
また、図１１に示すように、照度センサ機器１１にバッテリー２１と無線通信手段２２とを設け、パソコン２０がオフ状態であるときにも照度センサ機器１１から中央装置１８に、照明器具１２のＩＤ、照度、目標照度値または前記目標照度値を決定するための乗数を送信できるようにしてもよい。すなわち、照度センサ機器１１のバッテリー２１は、パソコン２０の電源がオンしているときに、パソコン２０からパソコンインターフェス回路１９経由で充電可能なバッテリーであり、パソコン２０の電源がオンしているときに、パソコン２０からパソコンインターフェス回路１９経由で充電する。これにより、照度センサ機器１１は、パソコン２０がオフ状態であるときにも無線通信手段２２から中央装置１８との通信が可能となる。
【００６３】
また、中央装置１８は、パソコン２０のＩＰアドレスを抽出し、特定した照度センサ機器１１の位置に存在するパソコン２０を特定することも可能である。これにより、フリーアドレスオフィスなどにおいても、パソコンの位置（人の位置）を自動的に検出することが可能になる。
【００６４】
第３の実施の形態によれば、目標照度値または目標照度値を決定するための乗数を記憶したメモリ２３を有するので、これらを書き替えることにより目標照度値の変更が可能となる。また、パソコン２０に接続された照度センサ機器１１に記憶された目標照度値を変更できるので、利用者各個人の好みに合わせた快適な照明空間を提供することが可能となる。
【００６５】
さらに、照度センサ機器１１にバッテリー２１及び無線通信手段２２を設けた場合には、バッテリー２１から照度センサ機器１１への電源が供給できるので、パソコン２０の電源がオフしているときにも照明器具１２の照度の調光制御が可能となる。中央装置１８はパソコン２０のＩＰアドレスを検出し、特定のパソコンの位置を特定できるので、フリーアドレスオフィスなどにおいても、パソコンの位置（人の位置）を自動的に検出できる。
【図面の簡単な説明】
【００６６】
【図１】本発明の第１の実施の形態に係わる照度センサ機器の構成図。
【図２】本発明の第１の実施の形態に係わる照明システムの構成図。
【図３】本発明の第１の実施の形態における中央装置に予め格納されている照明器具のＩＤと目標照度値との対応テーブルの説明図。
【図４】本発明の第１の実施の形態における中央装置に予め格納されている照明器具のＩＤと設置位置との対応テーブルの説明図。
【図５】本発明の第１の実施の形態に係わる照度センサ機器の処理内容を示すフローチャート。
【図６】本発明の第２の実施の形態に係わる照度センサ機器の構成図。
【図７】本発明の第２の実施の形態に係わる照明システムの構成図。
【図８】本発明の第２の実施の形態に係わる照度センサ機器の処理内容を示すフローチャート。
【図９】本発明の第２の実施の形態に係わる照度センサ機器の他の一例の構成図。
【図１０】本発明の第３の実施の形態に係わる照度センサ機器の構成図。
【図１１】本発明の第３の実施の形態に係わる照度センサ機器の他の一例の構成図。
【符号の説明】
【００６７】
１１…照度センサ機器、１２…照明器具、１３…受信手段、１４…ＩＤ情報検出手段、１５…照度検出手段、１６…送信手段、１７…伝送信号線、１８…中央装置、１９…パソコンインターフェース回路、２０…パソコン、２１…バッテリー、２２…無線通信手段、２３…メモリ
【図１】
2009026613.tif 000003
【図２】
2009026613.tif 000004
【図３】
2009026613.tif 000005
【図４】
2009026613.tif 000006
【図５】
2009026613.tif 000007
【図６】
2009026613.tif 000008
【図７】
2009026613.tif 000009
【図８】
2009026613.tif 000010
【図９】
2009026613.tif 000011
【図１０】
2009026613.tif 000012
【図１１】
2009026613.tif 000013